(57)【要約】  ビデオフォーマット検出器（１００）および対応する方法は急速に増加するビデオフォーマットの種々の規格および／またはタイプ、詳しくは、ＨＤ（高品位）ビデオソースの異なる規格および／またはタイプを確実に認識することが可能であり、少なくとも１個の高レベル（２０）および少なくとも１個の低レベル（２２）に基づく、少なくとも１個の水平基準パルス（１０）と少なくとも１個の垂直基準パルス（１２）とを備え、デジタルビデオ入力ストリームのビデオフォーマットの種々の規格および／またはタイプを識別するビデオフォーマット検出器（１００）を提供するため、（ｉ）水平基準パルス（１０）がサンプルされ、および／または、垂直基準パルス（１２）がサンプルされる少なくとも１回の測定ステップと、（ｉｉ）ビデオフォーマットがサンプルされた水平基準パルス（１０）に基づいて、および／または、サンプルされた垂直基準パルス（１２）に基づいて決定される少なくとも１回の評価ステップと、を設けることが提案される。
2008503135.tif 000002
【特許請求の範囲】
【請求項１】
少なくとも１個の水平基準パルスと、
少なくとも１個の垂直基準パルスと、
を備え、前記基準パルスが少なくとも１個の高レベルおよび少なくも１個の低レベルに基づいている、デジタルビデオ入力ストリームのビデオフォーマットの種々の規格および／またはタイプを識別するビデオフォーマット検出器であって、
前記水平基準パルスと無関係であり、少なくとも１個のクロックパルスを供給するため設計された少なくとも１個の時間ベースと、
前記高レベルにある前記水平基準パルスの間隔をカウントし、特に、前記水平基準パルスが前記高レベルである間に存在するクロックパルスの数をカウントする少なくとも１個の第１のカウンタと、
前記低レベルにある前記水平基準パルスの間隔をカウントし、特に、前記水平基準パルスが前記低レベルである間に存在するクロックパルスの数をカウントする少なくとも１個の第２のカウンタと、
前記高レベルにある前記垂直基準パルスの間隔をカウントし、特に、前記垂直基準パルスが前記高レベルである間に存在する前記水平基準パルスの数をカウントする少なくとも１個の第３のカウンタと、
前記低レベルにある前記垂直基準パルスの間隔をカウントし、特に、前記垂直基準パルスが前記低レベルである間に存在する前記水平基準パルスの数をカウントする少なくとも１個の第４のカウンタと、
によって特徴付けられる、ビデオフォーマット検出器。
【請求項２】
前記第１のカウンタの出力信号を格納する少なくとも１個の第１のレジスタユニット（５０）と、
前記第２のカウンタの出力信号を格納する少なくとも１個の第２のレジスタユニットと、
前記第３のカウンタの出力信号を格納する少なくとも１個の第３のレジスタユニットと、
前記第４のカウンタの出力信号を格納する少なくとも１個の第４のレジスタユニットと、
によって特徴付けられる、請求項１に記載のビデオフォーマット検出器。
【請求項３】
前記出力信号の格納が、特に、少なくとも１個のイネーブル化ユニットによって供給された少なくとも１個のイネーブル信号により周期的にイネーブル化されることを特徴とする、請求項２に記載のビデオフォーマット検出器。
【請求項４】
特に、前記高レベルにある前記水平基準パルスの前記間隔を、前記低レベルにある前記水平基準パルスの前記間隔と加算することによって、前記水平基準パルスの周期を決定する少なくとも１個の加算ユニットと、
前記水平基準パルスの前記決定された周期をビデオフォーマットの各規格および／またはタイプの少なくとも１個の基準値と比較する少なくとも１個の比較器ユニットと、
によって特徴付けられる、請求項１から３の少なくともいずれか一項に記載のビデオフォーマット検出器。
【請求項５】
前記垂直基準パルスの距離および／または幅および／または極性を決定する少なくとも１個の最小値検出ユニットと、
前記垂直基準パルスの前記決定された距離および／または幅をビデオフォーマットの各規格および／またはタイプの少なくとも１個の第２の基準値と比較する少なくとも１個の第２の比較器ユニットと、
によって特徴付けられる、請求項４に記載のビデオフォーマット検出器。
【請求項６】
前記水平基準パルスの極性を決定する少なくとも１個の第２の最小値検出ユニットと、
前記水平基準パルスの前記決定された極性および／または前記垂直基準パルスの前記決定された極性を、ビデオフォーマットの各規格および／またはタイプの少なくとも１個の第３の基準値、特に、少なくとも１個の予想される極性と比較する少なくとも１個の第３の比較器ユニットと、
によって特徴付けられる、請求項４または５に記載のビデオフォーマット検出器。
【請求項７】
請求項１から６の少なくとも一項による少なくとも１台のビデオフォーマット検出器を備える、集積回路。
【請求項８】
少なくとも１個の水平基準パルス、および／または、少なくとも１個の垂直基準パルスを伴うデジタルビデオ入力ストリームのビデオフォーマットの種々の規格および／またはタイプを識別する方法であって、
（ｉ）前記水平基準パルスがサンプルされ、および／または、前記垂直基準パルスがサンプルされる少なくとも１回の測定ステップと、
（ｉｉ）前記ビデオフォーマットが、前記サンプルされた水平基準パルスに基づいて、および／または、前記サンプルされた垂直基準パルスに基づいて決定される、少なくとも１回の評価ステップと、
によって特徴付けられる方法。
【請求項９】
前記水平基準パルスの周期が決定され、ビデオフォーマットの各規格および／またはタイプの少なくとも１個の基準値と比較され、
前記水平基準パルスの前記周期を決定するため、
少なくとも１個のクロックパルスが供給され、
高レベルにある前記水平基準パルスの間隔がカウントされ、特に、前記水平基準パルスが前記高レベルである間に存在する前記クロックパルスの数がカウントされ、
低レベルにある前記水平基準パルスの間隔がカウントされ、特に、前記水平基準パルスが前記低レベルである間に存在する前記クロックパルスの数がカウントされ、
前記高レベルにある前記水平基準パルスの前記間隔と前記低レベルにある前記水平基準パルスの前記間隔とが加算されることを特徴とする、請求項８に記載の方法。
【請求項１０】
前記垂直基準パルスの距離および／または幅が決定され、ビデオフォーマットの各規格および／またはタイプの少なくとも１個の第２の基準値と比較され、
前記垂直基準パルスの前記距離および／または幅を決定するため、
高レベルにある前記垂直基準パルスの間隔がカウントされ、特に、前記垂直基準パルスが前記高レベルである間に存在する前記水平基準パルスの数がカウントされ、
低レベルにある前記垂直基準パルスの間隔がカウントされ、特に、前記垂直基準パルスが前記低レベルである間に存在する前記水平基準パルスの数がカウントされ、
前記高レベルにある前記垂直基準パルスの前記間隔と前記低レベルにある前記垂直基準パルスの前記間隔とが比較され、
前記垂直基準パルスの前記距離および／または幅がこれらの間隔のうちの小さい方の値によって定められることを特徴とする、請求項９に記載の方法。
【請求項１１】
前記水平基準パルスの極性および／または前記垂直基準パルスの極性が決定され、ビデオフォーマットの各規格および／またはタイプの少なくとも１個の第３の基準値、特に、少なくとも１個の予想される極性と比較され、
前記水平基準パルスの前記極性を決定するため、前記高レベルにある前記水平基準パルスの前記間隔と前記低レベルにある前記水平基準パルスの前記間隔とが比較され、前記水平基準パルスの前記極性がこれらの間隔のうちの小さい方の値によって定められ、および／または、
前記垂直基準パルスの前記極性を決定するため、前記高レベルにある前記垂直基準パルスの前記間隔と前記低レベルにある前記垂直基準パルスの前記間隔とが比較され、前記垂直基準パルスの前記極性がこれらの間隔のうちの小さい方の値によって定められることを特徴とする、請求項９または１０に記載の方法。
【請求項１２】
デジタルテレビジョンと呼ばれるＨＤ（高品位）ビデオソース、特に、ＨＤＴＶ（高品位テレビジョン）の少なくとも一つの規格および／またはタイプの認識のための、請求項１から６の少なくとも一項に記載の少なくとも１台のビデオフォーマット検出器、および／または、請求項７に記載の少なくとも１台の集積回路、および／または、請求項８から１１の少なくとも一項に記載の方法の使用。
【発明の詳細な説明】
【技術分野】
【０００１】
本発明は、デジタルＴＶｉ（テレビジョン）アプリケーションのための集積回路の分野に関係し、
少なくとも１個の水平基準パルスと、
少なくとも１個の垂直基準パルスと、
を備え、基準パルスが少なくとも１個の高レベルおよび少なくも１個の低レベルに基づいている、デジタルビデオ入力ストリームのビデオフォーマットの種々の規格および／またはタイプをビデオフォーマット検出器によって識別することを対象にする。
【０００２】
本発明は、さらにこのようなデジタルビデオ入力ストリームのビデオフォーマットの種々の規格および／またはタイプを識別する方法に関係する。
【背景技術】
【０００３】
従来技術文献米国特許第６１０８０４６号には、順次走査およびインターレース走査を含む、信号の適切な符号化と、特定の画素および垂直ライン分解能とを可能にするためビデオエンコーダでＨＤＴＶ（高品位テレビジョン）信号のフォーマットを自動的に検出する方法および機器が開示されている。
【０００４】
技術分野に関して上述されたビデオフォーマット検出器は従来技術文献欧州特許第１３７００９０Ａ１号に開示されている。このビデオフォーマット検出器は、入力ビデオストリーム中の特定のセクションの画素数をカウントする測定ステージと、測定ステージによってカウントされた画素数に基づいてビデオフォーマットのタイプを決定する分類ステージとを備える。
【０００５】
これらの従来技術文献では、水平基準パルス（従来技術文献米国特許第６１０８０４６号ではライン、従来技術文献欧州特許第１３７００９０Ａ１号では、６５６ビデオストリームのＨｓｙｎｃまたはＳＡＶ若しくはＥＡＶの立ち上がりエッジまたは立ち下がりエッジ）の間のクロックパルス数が決定され、この個数だけが基準に使用され、特に、基準パルスの極性は解析されない。
【０００６】
ビデオフォーマットの種々の規格および／またはタイプの数は既に非常に多数であり、さらに増加することが予想されるので、ビデオフォーマット検出の技術は従来技術より改良が必要とされる。
【発明の開示】
【発明が解決しようとする課題】
【０００７】
上記の不都合および欠点から始め、かつ、上記の従来技術を考慮すると、本発明の目的は、増加の一途をたどるビデオフォーマットの種々の規格および／またはタイプ、詳しくは、ＨＤ（高品位）ビデオソースの種々の規格および／またはタイプを確実に認識することができるビデオフォーマット検出器を提供することである。
【課題を解決するための手段】
【０００８】
本発明の目的は、請求項１の構成要件を備えるビデオフォーマット検出器、請求項７の構成要件を備える集積回路、ならびに、請求項８の構成要件を備える方法によって実現される。本発明の有利な実施形態および都合の良い改良は対応する従属請求項に開示されている。
【０００９】
本発明は、一般に、ＨＤ（高品位）ビデオ入力規格の自動検出に関係し、デジタルＴＶ（テレビジョン）アプリケーションのための集積回路の分野を取り上げる。特に、本発明は、少なくとも一つのビデオデータストリームの解析および／または調査に基づき、高品位ビデオソースによって提供されるこのようなビデオデータストリームの規格および／またはタイプの認識に向けられる。
【００１０】
本発明の本質的な実施形態では、少なくとも１個のｈｓｙｎｃ（水平同期）パルス、および／または、少なくとも１個のｖｓｙｎｃ（垂直同期）パルスがサンプルされ、たとえば、ｈｓｙｎｃは少なくとも１クロックを伴い、ｖｓｙｎｃはＨｓｙｎｃを伴う。
【００１１】
これに関連して、ＴＶアプリケーションでは、多くの場合に、ｈｓｙｎｃは、クロック信号またはクロックパルスを得るための基準信号であり、入力周波数の倍数を有し、たとえば、入力周波数の２０４８倍の倍率、または、その倍率の何分の一かの倍率である。
【００１２】
さらに、本発明の本質的な実施形態によれば、ｈｓｙｎｃ信号および／またはｖｓｙｎｃ信号は、特に、ｈｓｙｎｃパルスおよび／またはｖｓｙｎｃパルスのサンプルされた少なくとも１個の値は、少なくとも１個のハードウェアレジスタ、特に、少なくとも１個のレジスタユニットに記憶される。
【００１３】
本発明の方法によれば、ビデオフォーマットは、
サンプルされた（複数個の）水平基準パルスに基づいて、および／または、
サンプルされた（複数個の）垂直基準パルスに基づいて、
少なくとも１回の評価ステップによって決定される。
【００１４】
したがって、本発明の好ましい実施形態では、（複数個の）水平基準パルス、詳しくは、（複数個の）ｈｓｙｎｃパルスの距離および／または間隔および／または極性が計算される。
【００１５】
これとは無関係に、または、これと関係して、（複数個の）垂直基準パルス、詳しくは、（複数個の）ｖｓｙｎｃパルスの距離および／または間隔および／または極性がオプション的に計算される。
【００１６】
本発明の好ましい実施形態によれば、（複数個の）垂直基準パルスと（複数個の）水平基準パルスのそれぞれの計算された距離および／または間隔および／または極性の、少なくとも１個の基準値との比較は、デジタルビデオ入力ストリーム、たとえば、ＨＤＴＶ（高品位テレビジョン）規格の規格および／またはタイプを規定し、与える。
【００１７】
要約し、かつ、「背景技術」の欄に記載された従来技術文献と比較すると、基準パルス間の時間差または時間間隔が、基準パルスのＨ（高レベル）またはＬ（低レベル）の時間差または時間間隔の合計により構成され、その上、基準パルスの極性が決定されることは、本発明の有利な特長である。
【００１８】
この点に関して、水平および／または垂直時間基準の極性を用いて、ビデオフォーマットの種々の規格および／またはタイプを区別または識別する方法は、特に、水平および／または垂直時間基準がビデオデータストリームから別々に伝えられるシステムの場合に実用的である（このようなビデオストリームからの時間基準の分離は通常はデジタルビデオソースによって行われる）。
【００１９】
逆に水平および／または垂直基準がビデオデータストリームの一部である場合（通常はアナログビデオソースを元にする場合に起こる）、垂直時間基準の幅は好ましいパラメータを構成する。
【００２０】
本発明は、最後に、デジタルテレビと呼ばれるＨＤ（高品位）ビデオソース、詳しくは、ＨＤＴＶ（高品位テレビジョン）の少なくとも一つの規格および／またはタイプの認識のための、上述の少なくとも１個のビデオフォーマット検出器、および／または、上述の少なくとも１個の集積回路、および／または、上述の方法の使用に関係する。
【００２１】
既に説明したように、有利な方法で本発明の教示を具現化し、そして、改良するためのいくつかの選択肢がある。この目的のため、請求項１および請求項８にそれぞれ従属する請求項が参照され、本発明のさらなる改良、特長および利点が、一例として好ましい実施形態と添付図面とを参照して、以下でより詳細に説明される。
【発明を実施するための最良の形態】
【００２２】
同じ参照番号が図１、図２Ａおよび図２Ｂにおける対応する部分のため使用される。
【００２３】
以下では、図１に例示されたようなビデオデータストリームを解析および／または調査する実施例が記載される。上記ビデオデータストリームは、水平基準パルス１０（＝図１の上部）と垂直基準パルス１２（＝図１の下部）とを備え、集積回路２００内に具現化されたビデオフォーマット検出装置１００の実施形態において解析および／または調査される。
【００２４】
水平基準パルス１０および垂直基準パルス１２はビデオデータストリームから取り出される。標準的な認識のため、これらの基準パルスのある基本的なパラメータ、たとえば、
水平基準パルス１０の間隔または時間周期１６、
垂直基準パルス１２の幅２４、
水平基準パルス１０の極性２６、および／または、
垂直基準パルス１２の極性２８
はテレビ規格に固有であるという特長が使用される（図１を参照のこと）。
【００２５】
これに関連して、水平基準パルス１０の極性２６は、この時間基準１０が、その間隔または周期１６の主要部分で高レベル２０（＝デジタル状態「１」）を取るかまたは低レベル２２（＝デジタル状態「０」）を取るかという特長を表し、同様に、垂直基準パルス１２の極性２８は、この時間基準１２が、その間隔または周期１８の主要部分で高レベル２０（＝デジタル状態「１」）を取るかまたは低レベル２２（＝デジタル状態「０」）を取るかという特長を表す。この特長から、低レベル「０」または高レベル「１」がそれぞれの参照番号２６、２８によって示された位置に存在するかどうかが結論付けられる。
【００２６】
上記パラメータ（水平基準パルス１０の間隔または時間周期１６、垂直基準パルス１２の幅２４、水平基準パルス１０の極性２６、および／または、垂直基準パルス１２の極性２８）を取り出すため、水平基準パルス１０の形状および垂直基準パルス１２の形状が解析および／または調査される。基準パルス１０、１２は、２個のレベル、すなわち、それぞれ高レベル２０（＝デジタル状態「１」）および低レベル２２（＝デジタル状態「０」）だけを有するので、この解析および／または調査は、各パルスが各レベルに留まる時間（間隔または周期）の測定によって行われる（図１および図２Ａを参照のこと）。
【００２７】
水平基準パルス１０の間隔または周期１６を決定するため、
少なくとも１個のクロックパルス３０ｏが時間ベースユニット３０によって供給され（図２Ａを参照のこと）、クロックの時間ベース３０は水平基準パルス１０とは無関係であり、
水平基準パルス１０の高レベル２０の間に存在するクロックパルス３０ｏの数が第１のカウンタ４０によってカウントされ（図２Ａを参照のこと）、
水平基準パルス１０の低レベル２２の間に存在するクロックパルス３０ｏの数が第２のカウンタ４２によってカウントされ（図２Ａを参照のこと）、
高レベル２０の間の水平基準パルス１０の間隔、および、低レベル２２の間の水平基準パルス１０の間隔が加算ユニット７０によって加算される（図２Ａの「右側」の続きである図２Ｂを参照のこと）。
【００２８】
よって、水平基準パルス１０の１周期１６中に各レベル２０、２２の間に存在するクロックパルス３０ｏの数がカウントされる。
【００２９】
垂直基準パルス１２の距離および／または幅２４を決定するため、
垂直基準パルス１２の高レベル２０の間に存在する水平基準パルス１０の数が第３のカウンタ４４によってカウントされ（図２Ａを参照のこと）、
垂直基準パルス１２の低レベル２２の間に存在する水平基準パルス１０の数が第４のカウンタ４６によってカウントされ（図２Ａを参照のこと）、
高レベル２０の間の垂直基準パルス１２の間隔と低レベル２２の間の垂直基準パルス１２の間隔が比較ユニット８２によって比較され（図２Ｂを参照のこと）、垂直基準パルス１２の距離および／または幅２４がこれらの間隔のうちの小さい方の値によって定められる。
【００３０】
よって、垂直基準パルス１２の場合、垂直基準パルス１２の１個の間隔または時間周期１８内の各レベル２０、２２の間の水平基準パルス１０の数がカウントされる。
【００３１】
図２Ａからわかるように、４個のカウンタ４０、４２、４４、４６のそれぞれの値は、４個の割り当てられたレジスタ５０、５２、５４、５６に周期的に（イネーブル化）格納される。換言すると、それぞれの出力信号４０ｏ、４２ｏ、４４ｏ、４６ｏの格納は、それぞれのイネーブル化ユニット６０、６２、６４、６６によって供給される対応するイネーブル信号６０ｏ、６２ｏ、６４ｏ、６６ｏによって周期的に可能にされる。
【００３２】
より詳細には、
第１のカウンタ４０の出力信号４０ｏは第１のレジスタユニット５０に格納され、
第２のカウンタ４２の出力信号４２ｏは第２のレジスタユニット５２に格納され、
第３のカウンタ４４の出力信号４４ｏは第３のレジスタユニット５４に格納され、
第４のカウンタ４６の出力信号４６ｏは第４のレジスタユニット５６に格納される。
【００３３】
よって、基準パルス１０、１２のそれぞれに対し、
高レベル２０を有する時間基準パルス１０および１２をそれぞれ表現するカウンタ値４０ｏおよび４４ｏのそれぞれのレジスタ５０および５４と、
低レベル２２を有する時間基準パルス１０および１２をそれぞれ表現するカウンタ値４２ｏおよび４６ｏのそれぞれのレジスタ５２および５６と、
が使用される。カウンタ４０、４２、４４、４６と、レジスタ５０、５２、５４、５６はハードウェアユニットとして具現化される。
【００３４】
単に見え方の変わり目のため、同じ４個のレジスタユニット５０、５２、５４、５６が図２Ａの右端と図２Ｂの左端に表されている。図２Ｂに示されるような評価プロセスに関して、これらのレジスタ５０、５２、５４、５６の内容が、ＨＤビデオデータストリーム規格に固有であるパラメータを評価するため使用される。格納された値にある種の計算を適用し、基準値と比較し、論理的に組み合わせることにより（図２Ｂを参照のこと）、受信されたＨＤビデオ規格が取り出される。
【００３５】
図２Ｂに示されているような詳細な実施形態では、加算ユニット７０は、高レベル２０である水平基準パルス１０の間隔を低レベル２２である水平基準パルス１０の間隔と加算することにより、水平基準パルス１０の周期１６を最初に決定するため設けられるが、その理由は、規格および／またはタイプの殆どがこのパラメータによって区別されるからである。
【００３６】
この目的のため、
第１のレジスタユニット５０に格納され、高レベル２０である水平基準パルス１０の間隔を表現する高レベル２０の間のクロック３０ｏの数と、
第２のレジスタユニット５２に格納され、低レベル２２である水平基準パルス１０の間隔を表現する低レベル２２の間のクロック３０ｏの数が加算される。
【００３７】
図２Ｂからさらにわかるように、第１の比較器ユニット８０は、水平基準パルス１０の決定された周期１６をビデオフォーマットの各規格および／またはタイプの基準値９０と比較するため、加算器７０の出力端子と直列に設けられる。最後の論理結合ユニット８６は、希望の出力信号８６ａ、すなわち、検出されるべきビデオフォーマットのＨＤ（高品位）規格および／またはＨＤ（高品位）タイプを生成するため、比較器８０の出力端子と直列に設けられる。
【００３８】
１個より多い入力規格が基準値と一致する場合、さらなるパラメータが以下の通りさらにチェックされるべきである。
【００３９】
解析および／または調査されるべきこれらのさらなるパラメータのうちの一つは、垂直ブランキング期間の幅２４である。この垂直ブランキング期間の極性２８は決定されないが、垂直基準パルス１２の１周期１８内の下位時間の範囲にわたるレベル２０、２２は、この垂直ブランキング期間を常に表す。
【００４０】
この目的のため、垂直基準パルス１２のレベル２０、２２の下位値を収容するレジスタ５４、５６は、垂直ブランキング期間の幅２４を反映する。このレジスタ５４、５６の内容は、各規格の基準値との比較のため使用される。
【００４１】
図２Ｂに示されているような詳細な実施形態では、垂直基準パルス１２の距離および／または幅２４および／または極性２８を決定する第１の最小値検出ユニット７２が設けられる。第２の比較器ユニット８２は、
垂直基準パルス１２の距離および／または幅２４と、
ビデオフォーマットの各規格および／またはタイプの第２の基準値９２と、
が設けられ、
決定された距離および／または幅２４をこの第２の基準値９２と比較する。
【００４２】
最後の論理結合器８６は、希望の出力信号８６ａ、すなわち、検出されるべきビデオフォーマットのＨＤ（高品位）規格および／またはＨＤ（高品位）タイプを生成するため、第２の比較器８２の出力端子と直列に設けられる。
【００４３】
垂直ブランキング期間の幅２４が解析および／または調査のさらなるパラメータとして使用できない場合、
水平基準パルス１０の極性２６、および／または、
垂直基準パルス１２の極性２８
は、解析および／または調査の（複数個の）さらなるパラメータとみなされる。
【００４４】
水平基準信号１０用と垂直基準信号１２用の４個のレジスタ５０、５２、５４、５６のうちいずれの１個がより小さい値を収容するかを検査することにより、極性２６、２８が決定される。この極性２６、２８は、各規格の期待される極性と比較されなければならない。
【００４５】
図２Ｂに示されているような詳細な実施形態では、水平基準パルス１０の極性２６を決定するさらなる（または第２の）最小値検出ユニット７４が設けられる。第３の比較器ユニット８４は、
水平基準パルス１０のこの極性２６と、
第１の最小値検出器７２によって決定されるような垂直基準パルス１２の極性２８と、
ビデオフォーマットの各規格および／またはタイプの第３の基準値９４、すなわち、期待される極性と
が設けられ、
決定された極性２６、２８をこの第３の基準値９４と比較する。
【００４６】
最後の論理結合器８６は、希望の出力信号８６ａ、すなわち、検出されるビデオフォーマットのＨＤ（高品位）規格および／またはＨＤ（高品位）タイプを生成するため、第３の比較器８４の出力端子と直列に設けられる。
【００４７】
上述のように、ステップの一種の分割、たとえば、ハードウェアによる測定（図２Ａを参照のこと）とソフトウェアによる評価（図２Ｂを参照のこと）を選択する有利な方法は、ハードウェアにおける努力を著しく低減し、本発明の機能をさらなる拡張のためフレキシブルな状態に保つ。
【図面の簡単な説明】
【００４８】
【図１】水平基準パルス（＝図１の上部）および垂直基準パルス（＝図１の下部）を備えるデジタルビデオ入力ストリームのタイミングチャート（−−＞横座標に時間ｔ）を概略的に示す図である。
【図２Ａ】本発明の方法に従って動作される本発明によるビデオフォーマット検出器の実施形態の第１の部分、詳しくは、測定部を概略的に示す図である。
【図２Ｂ】本発明の方法に従って動作される図２Ａのビデオフォーマット検出器の第２の部分（＝図２Ａの右側の続き）、詳しくは、評価部を概略的に示す図である。
【符号の説明】
【００４９】
１００    ビデオフォーマット検出器
１０      水平基準パルス
１２      垂直基準パルス
１６      水平基準パルス１０の（時間）周期
１８      垂直基準パルス１２の（時間）周期
２０      基準パルス１０、１２の高レベル
２２      基準パルス１０、１２の低レベル
２４      垂直基準パルス１２の距離および／または幅
２６      水平基準パルス１０の極性
２８      垂直基準パルス１２の極性
３０      時間ベースまたは時間ベースユニット
３０ｏ    時間ベース３０のクロックパルス
４０      第１のカウンタ
４０ｏ    第１のカウンタ４０の出力信号
４２      第２のカウンタ
４２ｏ    第２のカウンタ４２の出力信号
４４      第３のカウンタ
４４ｏ    第３のカウンタ４４の出力信号
４６      第４のカウンタ
４６ｏ    第４のカウンタ４６の出力信号
５０      第１のレジスタユニット
５２      第２のレジスタユニット
５４      第３のレジスタユニット
５６      第４のレジスタユニット
６０      第１のイネーブル化ユニット
６０ｏ    第１のイネーブル化ユニット６０のイネーブル信号
６２      第２のイネーブル化ユニット
６２ｏ    第２のイネーブル化ユニット６２のイネーブル信号
６４      第３のイネーブル化ユニット
６４ｏ    第３のイネーブル化ユニット６４のイネーブル信号
６６      第４のイネーブル化ユニット
６６ｏ    第４のイネーブル化ユニット６６のイネーブル信号
７０      加算ユニット
７２      最小値検出ユニット、詳しくは、第１の最小値検出ユニット
７４      第２の最小値検出ユニット
８０      比較器ユニット、詳しくは、第１の比較器ユニット
８２      第２の比較器ユニット
８４      第３の比較器ユニット
８６      論理結合ユニット
８６ｏ    論理結合ユニット８６の出力信号、詳しくは、ビデオフォーマットの規格および／またはタイプ、より詳しくは、ＨＤ（高品位）規格
９０      基準値、詳しくは、第１の基準値
９２      第２の基準値
９４      第３の基準値
２００    集積回路
ｔ        時間
【図１】
2008503135.tif 000003
【図２Ａ】
2008503135.tif 000004
【図２Ｂ】
2008503135.tif 000005
【国際調査報告】
2008503135.tif 000006
2008503135.tif 000007